(57)【要約】【課題】明度を下げるなどの景観回復に加えて、生態系育成を可能とし、周辺環境の向上を図ることが可能な多孔質天然石を用いたパネル等を提供する。【解決手段】本発明のパネルは、パネル基板と、パネル基板の表面に固着される多孔質天然石と、パネル基板の背面に積層される樹脂層と、からなり、樹脂層により、施工面から上記パネル基板に水が浸透するのを防止する。多孔質天然石は、溶岩片と溶岩礫とからなり、パネル基板の表面に溶岩片が固着された後、当該溶岩片間にできる隙間を覆うように上記溶岩礫が固着される。樹脂層は、繊維強化プラスチック等からなる。【選択図】図２
2016135980.tif 000002
【特許請求の範囲】
【請求項１】
パネル基板と、
上記パネル基板の表面に固着される多孔質天然石と、
上記パネル基板の背面に積層される樹脂層と、からなり、
上記樹脂層により、設置面から上記パネル基板に水が浸透するのを防止する
パネル。
【請求項２】
上記多孔質天然石は、溶岩片と溶岩礫とからなり、
上記パネル基板の表面に溶岩片が固着された後、当該溶岩片間にできる隙間を覆うように上記溶岩礫が固着される
請求項１に記載のパネル。
【請求項３】
上記樹脂層は、繊維強化プラスチックからなる
請求項２に記載のパネル。
【請求項４】
上記パネル基板の上記表面の一部に上記溶岩片を後付けで固着するための領域を設け、
施工後において、上記領域に上記溶岩片を固着することで、設置時に複数のパネルを配列したときに生じる繋ぎ目の少なくとも一部を被覆する
請求項３に記載のパネル。
【請求項５】
上記領域は、施工時にビスを挿入するための孔を取り囲むように設けられており、
上記溶岩片を施工後に上記領域に固着することで、当該孔も被覆される
請求項４に記載のパネル。
【請求項６】
上記パネル基板、上記多孔質天然石、上記樹脂層を貫通するように所定数の孔があけられており、上記孔を介して上記多孔質天然石へと設置面からの水を導く
請求項５に記載のパネル。
【請求項７】
上記パネル基板はコンクリート製平板からなり、厚さが２０ｍｍから５０ｍｍの範囲にあり、上記多孔質天然石の厚さは５ｍｍから２０ｍｍの範囲にある
請求項１乃至請求項６のいずれか１項に記載のパネル。
【請求項８】
上記パネル基板は、セメント製フレキシブルボードからなり、厚さが４ｍｍから８ｍｍの範囲にあり、上記多孔質多孔石の厚さは１０ｍｍから２０ｍｍの範囲にある
請求項１乃至請求項６のいずれか１項に記載のパネル。
【請求項９】
前記パネル基板の表面の一部に、人工植物を配設した
請求項１乃至８のいずれか１項に記載のパネル。
【請求項１０】
前記人工植物とは、苔、芝、ツタ、シダの少なくともいずれか１つを模して成型されたものである
請求項９に記載のパネル。
【請求項１１】
パネル基板と、上記パネル基板の表面に固着される多孔質天然石と、上記パネル基板の背面に積層される樹脂層と、からなるパネルの施工方法であって、
施工対象の表面に保水性部材を敷き詰める工程と、
上記保水性部材の上に上記樹脂層が当接するように上記パネルを複数配列して設置する工程と、
上記パネルを施工対象に固定する工程と、を有し、
上記パネルには、上記パネル基板、上記多孔質天然石、上記樹脂層を貫通するように所定数の孔があけられており、上記孔を介して上記多孔質天然石へと上記保水性部材の水分が導かれる
パネルの施工方法。
【請求項１２】
上記多孔質天然石は、溶岩片と溶岩礫とからなり、上記パネル基板の上記表面の一部には上記溶岩片を後付けで固着するための領域が設けられており、
上記固定後において、上記領域に上記溶岩片を固着することで、設置時に複数のパネルを配列したときに生じる繋ぎ目の少なくとも一部を被覆する工程を更に有する
請求項１１に記載のパネルの施工方法。
【請求項１３】
上記領域は、施工時に固定用のビスを挿入するための孔を取り囲むように設けられており、上記溶岩片を施工後に上記領域に固着することで当該孔も被覆される
請求項１２に記載のパネルの施工方法。
【請求項１４】
擁壁の金網擁面へのパネルの施工方法であって、
上記パネルは、パネル基板と、上記パネル基板の表面に固着される多孔質天然石と、上記パネル基板の背面に積層される樹脂層と、からなり、
上記パネルに所定間隔で孔を設け、当該孔からボルトを挿通し、上記金網擁面側において上記ボルトの先端を係合し、パネル基板の表面側で上記ボルトをナットで締めることで、上記金網擁面に対して複数のパネルを設置する
パネルの施工方法。
【発明の詳細な説明】
【技術分野】
【０００１】
本発明は、例えば溶岩等の多孔質天然石を用いたパネル等に係り、特に無機質なコンクリート建造物等の明度を抑え、環境と生態系を回復し、美しい景観を守る、溶岩等の多孔質天然石を用いたパネル、及びパネルの施工方法に関する。
【背景技術】
【０００２】
従来、自然環境の中、美しい景観を分断させる無機質なコンクリート建造物などが多く見られるようになってきている。特に近年、日本では、地震や台風、火山噴火等の災害が多く、国や県などの自治体がコンクリート製の防潮堤や堰堤、導流提などの設計施工を進めているが、日本の知識人や海外からの旅行者などから、日本は自然国でありながら景観を破壊するような施工を進めているとの指摘が多く出ている。これらは、景観を損ねるだけでなく、生態系を壊す原因ともなることから、社会問題となっており、その改善が求められている。そして、その改善のために、例えばコンクリート構造物や鉄矢板護岸に、無機質な景観を回復させるべく、擬石風コンクリート張りブロックが施工されていた。
【０００３】
しかし、このような擬石風コンクリート張りブロックによる修景では、生態系育成を行うことはできず、分断された自然環境をつなぎ、生態系のバリアフリーを実現することはできない。かかる点に鑑みて、セメント系硬化体などからなるパネル基板の表面に、粒径１０ｍｍ以下の石、砂、セラミック粒等の表面化粧骨材と、粒径５ｍｍ以下の吸水性または保水性を有する粒子を固着し、パネル表面の湿潤状態を保持することで、コケ類その他の植物の生育を促すことを目的とした生態系育成用パネルが提案されている（例えば、特許文献１等参照）。
【先行技術文献】
【特許文献】
【０００４】
【特許文献１】特開平１１−１５８８９６号公報
【発明の概要】
【発明が解決しようとする課題】
【０００５】
しかしながら、前述した従来のパネルでは、セメント系硬化体等のパネル基板が水を吸収し、パネル自体が反り返ってしまう場合もあるので、施工後、定期的に点検をして、反り返りによる変形の激しいパネルについては交換することもあった。
【０００６】
本発明は、上記課題に鑑みてなされたものであり、明度を下げるなどの景観回復に加えて、生態系育成、ひいては周辺環境の向上を図ることが可能で、更には雨水等の水分吸収による変形を抑えた、多孔質天然石を用いたパネル、及びパネルの施工方法を提供することを目的とする。
【課題を解決するための手段】
【０００７】
上記課題を解決するために、本発明の一の態様に係るパネルは、パネル基板と、上記パネル基板の表面に固着される多孔質天然石と、上記パネル基板の背面に積層される樹脂層と、からなり、上記樹脂層により、設置面から上記パネル基板に水が浸透するのを防止することを特徴としている。
【０００８】
本発明の他の態様に係るパネルの施工方法は、パネル基板と、上記パネル基板の表面に固着される多孔質天然石と、上記パネル基板の背面に積層される樹脂層と、からなるパネルの施工方法であって、施工対象の表面に保水性部材を敷き詰める工程と、上記保水性部材の上に上記樹脂層が当接するように上記パネルを複数配列して設置する工程と、上記パネルを施工対象に固定する工程と、を有し、上記パネルには、上記パネル基板、上記多孔質天然石、上記樹脂層を貫通するように所定数の孔があけられており、上記孔を介して上記多孔質天然石へと上記保水性部材の水分が導かれることを特徴としている。
【０００９】
本発明の更に他の態様に係るパネルの施工方法は、擁壁の金網擁面へのパネルの施工方法であって、上記パネルは、パネル基板と、上記パネル基板の表面に固着される多孔質天然石と、上記パネル基板の背面に積層される樹脂層と、からなり、上記パネルに所定間隔で孔を設け、当該孔からボルトを挿通し、上記金網擁面側において上記ボルトの先端を係合し、パネル基板の表面側で上記ボルトをナットで締めることで、上記金網擁面に対して複数のパネルを設置することを特徴とする。
【発明の効果】
【００１０】
本発明によれば、明度を下げるなどの景観回復に加えて、生態系育成、ひいては周辺環境の向上を図ることが可能で、更には雨水等の水分吸収による変形を抑えた、多孔質天然石を用いたパネル、及びパネルの施工方法を提供することができる。
【図面の簡単な説明】
【００１１】
【図１】（ａ）乃至（ｃ）は本発明の第１実施形態に係るパネルの構成図である。
【図２】（ａ）乃至（ｃ）は本発明の第２実施形態に係るパネルの構成図である。
【図３】（ａ）乃至（ｃ）は本発明の第３実施形態に係るパネルの構成図である。
【図４】本発明の第１乃至第３実施形態に係るパネルの製造方法を示すフローチャートである。
【図５】（ａ）乃至（ｃ）は本発明の第４実施形態に係るパネルの施工の様子を示す図である。
【図６】（ａ）は本発明の第５実施形態に係るパネルの構成図、（ｂ）は当該パネルに装着される天然石ブロックの構成図である。
【図７】（ａ）及び（ｂ）は、第５実施形態に係るパネルの仕様を更に詳細に示す図である。
【図８】（ａ）及び（ｂ）は、本発明の第６実施形態に係るパネルの適用例を示す図である。
【図９】（ａ）乃至（ｅ）は、本発明の第7実施形態に係るパネルの構成例を示す図である。
【図１０】本発明の第８実施形態に係るパネルの構成例を示す図である。
【図１１】パネルを金属防護堤の金網に取り付けるボルトとナットからなる金具の構成例を示す図である。
【図１２】パネルを金属防護堤の金網に取り付ける様子を示す図である。
【図１３】（ａ）及び（ｂ）は、修景前後の様子を示す図であある。
【発明を実施するための形態】
【００１２】
以下、図面を参照しつつ本発明の実施形態について説明する。
【００１３】
本発明の第１乃至第５実施形態は、例えば、防潮提や砂防提等、コンクリート構造物の新設、修景工事や鋼矢板、鋼管矢板護岸の修景工事、更には生態系育成工事等で採用され得る多孔質天然石を用いたパネルであり、多孔質天然石としては溶岩等が採用される。そして、その特徴の一部を概略すると、以下のようになる。後述する実施形態に係るパネルは、これら特徴の全部、あるいは一部を備える。なお、第６実施形態は、これら第１乃至第３実施形態に係るパネルの適用例となる。第７実施形態は、第１乃至第３実施形態に係るパネルの改良例に相当する。
【００１４】
第１に、雨水、地下水等の水分吸収による変形を抑えることができる。即ち、このパネルは基板の背面に樹脂を塗布することで、あるいは基板自体を防水性のあるフレキシブルボートとすることで、砂防提等の設置面より基板に水分が浸透し、それにより基板が反り返る等して変形することを抑えることができる。
【００１５】
第２に、生態系を保全する。即ち、このパネルの表面は自然界の生物が暮らし易い多孔質構造になっているので、微生物や蘚苔類（コケ類、シダ類）、更には草花などの植物が付着しやすく、年数の経過とともに生態系を回復させることができる。これにより、構造物表面が生態系を遮断しない構造を実現する。水辺付近であれば、水質浄化作用も期待できる。特に、多孔質天然石、更には基板にかけて貫通した孔を設ければ、設置面との間に介在させた保水部材からの水分を好適にパネル表面の多孔質天然石へと導くことができるので、植物の育成を更に促進させることもできる。
【００１６】
第３に、有益な環境パフォーマンスを示す。このパネルの特徴である多孔質環境は吸放湿性や断熱性に優れているため、夏は炎天下の照り返しや湿度を和らげ、冬は乾燥を防止し、所謂ヒートアイランド現象の緩和に貢献する。
【００１７】
第４に、施工性が良好である。即ち、一例に係る施工方法は、超軽量、超薄型のパネルを、既存構造物を壊さずに、その表面に施工する工法である。ゆえに、解体工による廃材を抑制し、且つ重機を必要せず、短期間で施工できるため、全体の工事費用を削減することができる。また、施工先は、例えば、コンクリート、鉄、アルミ、木材など、種々の部材からなる建造物等に適用できるといった多様性がある。
【００１８】
以下、第１乃至第７実施形態について詳述する。
【００１９】
＜第１実施形態＞
図１には本発明の第１実施形態に係る多孔質天然石を用いたパネルの構成を示し説明する。より詳細には、図１（ａ）にはパネルの平面図を示し、図１（ｂ）にはパネルの上面図を示し、図１（ｃ）にはパネルの側面図を示し、説明する。
【００２０】
このパネル１では、セメント系硬化体等からなるパネル基板２上に、多孔質天然石としての溶岩を微細に破砕した溶岩礫（スコリア）３が配設されている。即ち、パネル基板２の表面が全域にわたり溶岩礫３で被覆されている。更に、パネル基板２の、溶岩礫３による被覆面とは反対側の背面には、樹脂層４が塗布されている。この樹脂層４は、例えば繊維強化プラスチック（FRP；Fiber Reinforced Plastics）等からなる。
【００２１】
セメント系硬化体としては、セメント製フレキシブルボードを採用することができ、その場合、パネル基板２と樹脂層４の厚みｈ12のうち、パネル基板２の厚みは４ｍｍ〜８ｍｍ程度となる。また、セメント系硬化体として、コンクリート製平板を採用する場合、パネル基板２と樹脂層４の厚みｈ12のうち、パネル基板２の厚みは２０ｍｍ〜５０ｍｍ程度となる。但し、サイズは、これらには限定されない。このほか、セメント系硬化体等のパネル基板に代えてＦＲＰシート等を用いてもよい。
【００２２】
このように、第１実施形態に係るパネル１は、その表面全体が溶岩礫３で被覆されているが、溶岩礫３による層の厚みｈ11は最大で１０ｍｍ程度と薄く、更にパネル基板２及び樹脂層３からなる層の厚みｈ12もセメント製フレキシブルボードを用いる場合には薄くなるので、全体として軽量化が実現される。そして、灰色を基調とするパネル１は、施工直後から落ち着いた佇まいを醸し出す。溶岩礫３を用いているので、パネル表面に凹凸は少ないが、シダ類やコケ類、つる性植物類等を生育することができる。さらに、水中においては、水中微生物を生息させることができる。
【００２３】
更に、パネル基板２の背面に樹脂層４を塗布しているので、砂防提等の設置面から水分がパネル基板２の全域にわたり浸透することもない。このような積層構造により、パネル基板２が水分吸収により反り返り変形するのを防ぐことができる。
【００２４】
＜第２実施形態＞
図２には本発明の第２実施形態に係る多孔質天然石を用いたパネルの構成を示し説明する。より詳細には、図２（ａ）にはパネルの平面図を示し、図２（ｂ）にはパネルの上面図を示し、図２（ｃ）にはパネルの側面図を示し、説明する。
【００２５】
このパネル１１では、セメント系硬化体等からなるパネル基板１２上に、多孔質天然石をスライスした溶岩片１３、及び多孔質天然石を微細に破砕した溶岩礫１４が配設されている。即ち、パネル基板１２の表面が全域にわたり溶岩片１３と溶岩礫１４とで被覆されている。更に、パネル基板１２の、溶岩片１３等による被覆面とは反対側の背面には、樹脂層１５が塗布されている。この樹脂層１５は、例えばＦＲＰ等からなる。
【００２６】
ここでも、上記セメント系硬化体としては、セメント製フレキシブルボードを採用することができ、その場合、パネル基板１２と樹脂層１５の厚みｈ22のうち、パネル基板１２の厚みは４ｍｍ〜８ｍｍ程度となる。また、セメント系硬化体として、コンクリート製平板を採用する場合には、パネル基板１２と樹脂層１５の厚みｈ22のうち、パネル基板１２の厚みは２０ｍｍ〜５０ｍｍ程度となる。但し、サイズは、これらには限定されないことは勿論である。このほか、セメント系硬化体等のパネル基板に代えてＦＲＰシート等を用いてもよい。
【００２７】
このように、第２実施形態に係るパネル１１は、その表面全体が溶岩片１３と溶岩礫１４で被覆されているが、溶岩片１３等による層の厚みｈ21は最大で２０ｍｍ程度と薄くなり、更にパネル基板１２及び樹脂層１５からなる層の厚みｈ22もセメント製フレキシブルボードを用いる場合には薄くなるので、全体として軽量化が実現される。そして、深い茶色を基調とするパネル１１は施工直後から落ち着いた佇まいを醸し出す。溶岩片１３は多孔質の性質を有しているので、パネル表面に凹凸と隙間が生じ、シダ類やコケ類、つる性植物類等を生育することができる。昆虫類等の移動も可能であろう。更に水中においては、水中微生物を生息させることができる。
【００２８】
更に、第２実施形態でも、パネル基板１２の背面に樹脂層１５を塗布しているので、砂防提等の設置面から水分がパネル基板１２の全域にわたり浸透することもない。このような積層構造により、パネル基板１２が水分吸収により反り返り変形するのを防ぐことができる。これは、定期的なパネルの交換に要するコストの削減をもたらす。
【００２９】
＜第３実施形態＞
図３には本発明の第３実施形態に係る多孔質天然石を用いたパネルの構成を示し説明する。より詳細には、図３（ａ）にはパネルの平面図を示し、図３（ｂ）にはパネルの上面図を示し、図３（ｃ）にはパネルの側面図を示し、説明する。
【００３０】
このパネル２１では、セメント系硬化体等からなるパネル基板２２上に、多孔質天然石としての溶岩２３、及び多孔質天然石を微細に破砕した溶岩礫２４が配設されている。即ち、パネル基板２２の表面が全域にわたり溶岩２３と溶岩礫２４とで被覆されている。更にパネル基板２２の、溶岩２３等による被覆面とは反対側の背面には、樹脂層２５が塗布されている。この樹脂層２５は、例えばＦＲＰ等からなる。なお、溶岩２３は、採取された溶岩を好適なサイズに砕いたものではあるが、第２実施形態で採用した溶岩片のように平板状にスライスしたものではない。従って、表面には、多様なサイズの溶岩２３の配列により凹凸が生まれる。
【００３１】
ここでも、上記セメント系硬化体としては、セメント製フレキシブルボードを採用することができ、その場合、パネル基板２２と樹脂層２５の厚みｈ32のうち、パネル基板２２の厚みは４ｍｍ〜８ｍｍ程度となる。また、セメント系硬化体として、コンクリート製平板を採用する場合には、パネル基板２２と樹脂層２５の厚みｈ32のうち、パネル基板２２の厚みは２０ｍｍ〜５０ｍｍ程度となる。但し、サイズは、これらには限定されないことは勿論である。このほか、セメント系硬化体等のパネル基板に代えてＦＲＰシート等を用いてもよい。
【００３２】
このように、第３実施形態に係るパネル２１は、その表面全体が溶岩２３と溶岩礫２４で被覆されているが、溶岩２３等による層の厚みｈ31は最大で８０ｍｍ程度となり第１、第２実施形態と比べると厚い。但し、パネル基板２２及び樹脂層２５からなる層の厚みｈ32は、セメント製フレキシブルボードを用いる場合、第１及び第２実施形態と同様に薄くなるので、全体としては軽量化が実現される。また、深い茶色を基調とするパネル２１は施工直後から自然で落ち着いた佇まいを醸し出す。溶岩２３は多孔質の性質を有しているので、パネル表面に凹凸と隙間が生じ、シダ類やコケ類、つる性植物類等を生育することができる。直壁部分でも蛇や小動物の移動が可能になる。さらに、水中においては、水生植物、水中微生物、水生生物を生息させることができる。
【００３３】
更に、第３実施形態でも、パネル基板２２の背面に樹脂層２５を塗布しているので、砂防提等の設置面から水分がパネル基板２２の全域にわたり浸透することもない。このような積層構造により、パネル基板２２が水分吸収により反り返り変形するのを防ぐことができる。これは、定期的なパネルの交換に要するコストの削減をもたらす。
【００３４】
このように、第１及び第２実施形態では、２０ｍｍ〜５０ｍｍ程度の厚さのコンクリート製平板からなるパネル基板に、５ｍｍ〜２０ｍｍ程度の多孔質天然石を貼り付けたパネルが実現される。あるいは、第１及び第２実施形態では、４ｍｍ〜８ｍｍ程度の厚さのセメント製フレキシブルボードからなるパネル基板に、１０ｍｍ〜２０ｍｍ程度の厚さにスライスした多孔質天然石を貼り付けたパネルが実現される。そして、これらのパネル基板の背面にＦＲＰ等の樹脂層を積層することで、防水が実現される。
【００３５】
（多孔質天然石について）
第１乃至第３実施形態に係るパネルに用いられる「溶岩」としては、三宅島、大島、富士山、浅間山で採取されたものを用いることができる。三宅島、大島、富士山で採取される溶岩は、いずれも玄武岩質のものであるが、三宅島や大島で採取される溶岩は、噴火により空気中を飛散した後に固まったものであるから細かい孔が複数空いている多孔質である。これに対して、富士山で採取される溶岩は、溶岩流として流れた後に固まったものであることから孔が少ないが、その反面、細かく粉砕することが可能である。第１乃至第３の実施形態では、三宅島や大島で採取された溶岩石を採用することとしている。但し、これに限定されるものではない。
【００３６】
このような溶岩は、多孔質であることから、小動物、微生物などの棲息環境となる（生態系の保全、回復効果）。さらに、無機質な構造物が適度に緑化し年数の経過と共にさらに周囲と調和する（景観、修景効果）。また、苔、地比類やツタ類などの育成する土壌になる（緑化効果）。さらに、多孔質であることから、湿潤性、水際においては保水、水浄化作用が期待できる（湿潤性、水浄化効果）。さらに、多孔質な構造により音を吸収することができる（吸音効果）。また、溶岩の細かな凹凸が光反射を防止し、また極微小な空隙は熱遮断効果もある（光反射防止効果）。また、溶岩からはマイナスイオンが発生している（マイナスイオン効果）。さらに、表面が多孔質で凹凸があるため落書きができない（落書き防止効果）。そして、貼付により構造物表面の劣化を防ぐことができる（構造物面の保護）。このほか、大きな根を張る空間は生まれないため植物が大きくは育たず維持管理を最小限に抑えることができる（低コストの維持管理費）。各実施形態は、溶岩を採用しているので、上記効果はそのまま各実施形態も備えることになる。
【００３７】
第１乃至第３実施形態に係るパネルを、河川護岸、水路、側溝、道路のり面、擁壁、防護柵、遮音壁、防音壁、坑口、ダム壁面、貯水池面、堰堤、橋梁、橋桁、階段、縁石、ビル、公共施設の外壁、一般建築物、町並み等に施工する場合、ビスによる固定方法、あるいは接着剤とビスによる固定方法を採用することができる。前者のビスによる固定方法によれば、施工場所や地域環境や生態系に悪影響を与えずに施工することができる。ビスによる固定方法の詳細な手順は、施工面の清掃、位置決め、コンクリート削孔、ビスによる固定、そしてビスの頭仕上げ、の順となる。一方、後者の接着剤とビスによる固定方法によれば、接着面を更に強固にすることができる。施工方法は、これらには限定されないことは勿論である。
【００３８】
（パネルの製造方法）
次に、図４のフローチャートを参照して、第１乃至第３の実施形態に係るパネルの略共通する製造方法を概説する。先ず、セメント系硬化体等からなるパネル基板を所定サイズに成型し（Ｓ１）、その背面にＦＲＰ等の樹脂を塗布する（Ｓ２）。続いて、当該パネル基板の表面上に配設する溶岩を所定サイズに粉砕、スライスする（Ｓ３）。そして、ステップＳ３で粉砕、或はスライスした溶岩をパネル基板の上に取り付ける（Ｓ４）。第１実施形態の場合、このステップＳ３，Ｓ４の工程はない。取り付けの方法としては、接着剤による接着のほか、パネル基板自体に溶岩を埋設するようにしてよい。溶岩片あるいは溶岩を所定間隔で取り付けた後、その溶岩片の間の平面を覆うように溶岩礫を取り付ける（Ｓ５）。こうしてパネルが完成となる。
【００３９】
（明度について）
多孔質天然石として、前述したような溶岩を用いることで、明度を６以下とすることができる。ここで、「明度」については、平成２６年４月に「美しい山河を守る災害復旧基本方針」が改訂されており、護岸ブロックの明度の目安（６以下）と明度計測方法が記載された。しかし、普段扱わない計測機器等も使用するため、実際に明度を計測する際に混乱が生じることが懸念される。そこで、（公社）全国土木コンクリートブロック協会は、中小河川でよく用いられる積ブロックに関する明度計測方法等の指導と明度解析および明度測定結果について証明書の作成を行い、護岸ブロックの平均明度計測方法の普及に努めている。そして、ブロック素材そのものが明度６以下である場合は、目地を含めた平均明度を測定しなくても明度６以下とみなすことが考えられている。なお、コンクリート製品と溶岩を複合した明度の測定については独立法人土木研究所共生センターにより測定方法を示唆されている。一般的な石材の明度は公知の輝度計、照度計などで測定することができることは勿論である。
【００４０】
（表面温度の変化について）
第１及び第２実施形態に係るパネルは、蓄熱し難く放熱しやすい。例えば、第１及び第２実施形態に係るパネルの表面への散水後の温度変化を比較したところ、散水後の表面温度低下率は、一般のコンクリート表面が１５〜１７％であるのに対して、第１実施形態に係るパネル１が３３％、第２実施形態に係るパネル１１が２９％と、いずれも高い低下率を示した。これは、パネル１，１１が、放熱しやすく蓄熱し難い特質を有することを意味する。一方、低温時の温度上昇について比較したところ、一般のコンクリート面に比して第１及び第２実施形態に係るパネルは、低温時に同じように加温した場合、温まりやすく到達温度も高いことが明らかになった。さらに、日照実験によれば、第１及び第２実施形態に係るパネルは、一般のコンクリート面よりも早く温度上昇したが、最高点ではほぼ同じ温度となり、大きく高温となってしまうことはなかった。さらに、第１及び第２実施形態に係るパネルは、放熱性がよいので、日が陰るなどした場合、コンクリート面に比して早く温度低下が生まれた。これは、表面が冷めやすいことを意味する。
【００４１】
＜第４実施形態＞
次に、図５を参照して、第４実施形態に係る多孔質天然石を用いたパネル、及び当該パネルの施工方法について詳述する。
【００４２】
即ち、図５（ａ）は第４実施形態に係るパネル３１を施工にあたり複数配列した様子を示す図であり、図５（ｂ）は当該パネル３１を実際に壁面に設置した様子を示す断面図であり、図５（ｃ）は図５（ｂ）における範囲Ａの拡大図である。
【００４３】
図５（ａ）、及び図５（ｂ）に示されるように、パネル３１の表面には、溶岩３３、パネル基板３２、ＦＲＰなどの樹脂層３４を貫通するように、所定数の孔３６があけられている。パネルの基本的な構造や多孔質天然石としての溶岩の特質等は、第１乃至第３実施形態で前述した通りである。その製造方法も前述した通りであるが、孔３６を開ける工程が増える。
【００４４】
そして、図５（ｂ）に示されるように、コンクリート躯体３７の壁面３７ａに取り付けされるときには、取り付け強度を高めるために、複数のパネル３１が互い違いになるように配列される。実際の施工にあたっては、先ずコンクリート躯体３７の壁面３７ａに布や不織布、スポンジ等の保水性部材３５を敷き詰め、その上に、ＦＲＰ等の樹脂層３４による面が当接するようにパネル３１を設置する。パネル３１は、コンクリート躯体３７の壁面３７ａに、前述したように例えばビス、接着剤等で固定される。
【００４５】
すると、図５（ｃ）に示されるように、溶岩３３、パネル基板３２、樹脂層３４を貫通した孔３６が保水性部材３５まで導通するので、雨水等が保水性部材にて保持されている場合に、この孔３６を介して保水された水が表面の溶岩３３へと好適に導かれる。これにより溶岩３３での植物等の生育が促進される。なお、この例では、孔３６は、１枚のパネル３１につき６つあけられているが、その数はこれに限定されない。また、パネル基板３２の背面にはＦＲＰ等の樹脂層３４が塗布されているので、保水性部材３５とパネル３１が当接しても、当該樹脂層３４の作用により水分がパネル基板３２自体へと直接浸透することはないので、反り返り等による変形は防止できる。
【００４６】
＜第５実施形態＞
次に本発明の第５実施形態について説明する。この第５実施形態に係るパネルは、表面に貼り付けられる多孔質天然石として、溶岩を用いる点では、第１乃至第４の実施形態と同様であるが、複数のパネルを配列して設置する場合に、パネル間の繋ぎ目が目立たないように、後付けで隣り合うパネル間で形状の整合性、連続性が確保できるように溶岩を取り付け可能とした点が特徴となっている。
【００４７】
図６には第５実施形態に係るパネルの構成を示し説明する。図６（ａ）に示されるように、パネル４１は、パネル基板４３を備え、当該パネル基板４３の表面に溶岩４２が貼り付けられている。そして、パネルの上端に２か所、左右端に各１か所、下端に２か所、施工時にビスを打ち込む開口部４５が設けられている。この部分は、スレート、つまりパネル基板４３の表面が露呈している。そして、この開口部４５を取り囲むように、溶岩４２を後付けで貼り付けるための領域４４が設けられている。この領域４４には、開口部４５にビスが打ち込まれた後、その上を被覆するように、図６（ｂ）に示されるような粉砕或はスライスした溶岩４６が貼り付けられることになる。
【００４８】
ここで、図７を参照して、上記溶岩を後付けする仕様について更に説明する。先ず、図７（ａ）には、後付けの溶岩を、隣り合うパネル間で整合性がとれるように貼り付ける例を示している。即ち、パネル群５０では、パネル５１ａ〜５１ｄが配列されているが、例えばパネル５１ａの下端に後付けで貼り付けられる溶岩５２と、パネル５１ｂの上端に後付けで貼り付けられる溶岩５３は、その形状に整合性がとれるよう成型されている。従って、後付けで溶岩５２，５３を貼り付けた後においては、パネル５１ａ，５１ｂのつなぎ目が目立たなくなり、施工後の景観が更に向上する。
【００４９】
一方、図７（ｂ）には、後付けの溶岩を、隣り合うパネル間で連続性がとれるように貼り付ける例を示している。即ち、パネル群６０では、パネル６１ａ〜６１ｄが配列されているが、例えばパネル６１ａの下端のビスの打ち込み位置を取り囲む領域と、パネル６１ｂの上端のビスの打ち込み位置を取り囲む領域には、両領域を跨ぐように溶岩６２が貼り付けられる。パネル６１ａの右端のビスの打ち込み位置を取り囲む領域と、パネル６１ｃの左端のビスの打ち込み位置を取り囲む領域には、両領域を跨ぐように溶岩６３が貼り付けられる。従って、後付けで溶岩６２を貼り付けた後においては、パネル６１ａ，６１ｂのつなぎ目が目立たなくなり、溶岩６３を貼り付けた後においては、パネル６１ａ，６１ｃのつなぎ目が目立たなくなり、施工後の景観が更に向上する。
【００５０】
＜第６実施形態＞
次に、本発明の第６実施形態について説明する。これは、第１乃至第３実施形態に係るパネルの適用例に相当する。図８（ａ）は第６実施形態に係るパネルボックス７０の構成を示しており、上部開口で所定の深さの収納空間を備えた筐体７１の少なくとも一面に第１乃至第３実施形態に係るパネル７２が貼り付けられる。上記収納空間には、植木等が収納されてもよい。このパネルボックス７０に採用されるパネル７２は、前述したような各種作用を奏するものであり、複数パネル７２を配列して貼り付ける場合には、第４実施形態で説明したような整合性、或は連続性をもたらすように、パネル７２間の繋ぎ目を跨ぐように、溶岩を後付けで貼り付けてもよい。
【００５１】
図８（ｂ）は第６実施形態に係るパネルボックス８０の他の構成を示しており、筐体８１の上部には、所定間隔で突出収納部８２が設けられている。この突出収納部８２は上部開口となっており、所定の収納空間を有する。そして、この突出収納部８２の一面から下方に向けて連続するように、第１乃至第３実施形態に係るパネル８３が貼り付けられている。このパネルボックス８０に採用されるパネル８３は、前述したような各種作用を奏するものであり、複数パネル８３を配列して貼り付ける場合には、第４実施形態で説明したような整合性、或は連続性をもたらすように、パネル８３間の繋ぎ目を跨ぐように溶岩を後付けで貼り付けてもよい。
【００５２】
＜第７実施形態＞
従来の溶岩を用いたパネルは、日蔭や湿度の高い場所においてはコケや地衣類が植生可能であったが、日向などでは植生は比較的難しかった。この第７実施形態に係るパネルはかかる点に着目し、パネル基板の上に固着された溶岩片と溶岩片の隙間に人工的な植物を模写した草、芝、蔦、地衣類を配して日蔭を作ることで、コケ等の植物の植生を促進することを特徴とするものである。この場合、人工植物は、パネルを配置する場所や環境によって適宜交換することが可能である。人工植物の固定方法は、パネルの孔をあける、接着剤で固定するなど、種々の方法を採用し得る。
【００５３】
以下、図９（ａ）〜図９（ｅ）を参照して、第７実施形態に係るパネルを、より具体的に説明する。尚、各パネルに用いられるパネル基板の背面には、第１乃至第３実施形態で説明したような樹脂層が積層されていてもよい。また、実際の施工に際しては、第４実施形態に係るパネルのように、表面に孔をあけてもよい。
【００５４】
図９（ａ）に示されるパネル１００は、不図示のパネル基板の表面に溶岩片１０１が固着されており、更に溶岩片１０１間の隙間に人工地衣類１０２が配設されている。配設の方法は、前述したように、不図示のパネル基板に孔をあけて当該孔に差し込む方法や、接着剤により貼り付ける方法等がある。なお、溶岩片１０１間に溶岩礫を貼り付けて、その上に人工地衣類１０２を配設してもよい。
【００５５】
図９（ｂ）に示されるパネル１１０は、不図示のパネル基板の表面に溶岩片１１１が固着されており、更に溶岩片１１１間の隙間に人工苔１１２が配設されている。この人工苔１１２は、例えば接着剤により不図示のパネル基板の表面に貼り付けられてよい。尚、上記隙間の一部に溶岩礫を貼り付けてもよい。
【００５６】
図９（ｃ）に示されるパネル１２０は、不図示のパネル基板の表面に溶岩片１２１が固着されており、更に溶岩片１２１間の隙間に人工シダ１２２と人工苔１２３が配設されている。人工シダ１２２は、不図示のパネル基板にあけられた孔に差し込まれたり、接着剤等により貼り付けられたりしてよい。人工苔１２３は、不図示のパネル基板の表面に接着剤等により貼り付けられてよい。尚、上記隙間の一部に溶岩礫を貼り付けてもよい、
【００５７】
図９（ｄ）に示されるパネル１３０は、不図示のパネル基板の表面に溶岩片１３１が固着されており、更に溶岩片１３１間の隙間に人工芝１３２が貼り付けられている。この人工芝１３２は、透水性、保水性のバランスが良好で、高いクッション性を有し、遮光率１００％を実現するものを採用してよい。
【００５８】
図９（ｅ）に示されるパネル１４０は、不図示のパネル基板の表面に溶岩片１４１が固着されており、更に溶岩片１４１間の隙間に人工芝１４２が貼り付けられている。そして溶岩片１４１間の隙間には人工苔１４３も配設されている。人工苔１２３は、不図示のパネル基板の表面に接着剤等により貼り付けられてよい。人工芝１４２と人工苔１２３の貼り付ける面積の割合は、パネルの設置場所の環境に合わせて調整できる。
【００５９】
このように、第７実施形態に係るパネルとして、パネル基板の上に、溶岩片に加えて人工植物を配設したパネルが実現される。人工植物としては、前述したように、人工苔、人工芝、人工シダ等が採用され、それらは溶岩と調和した景観を生む。この人工植物としては、プラスチック系生成物、繊維系生成物、本来の自然植物を乾燥処理して着色した生成物等を採用できる。繊維系生成物や視線植物系生成物は、パネル本体に植物が育成したら劣化するので、植物育成までの促進補助剤として有効に活用する。以上のような構成によれば、雨や散水により表面に水分が保持されるので、溶岩片を配したパネル基板に溶岩礫を更に固着した場合に、溶岩片や溶岩礫の渇きを遅くすることができるので、植物の育成に効果的である。また、景観的にも、本来の植物が育成するまでの間、見た目のイメージを向上させることができる。尚、第６実施形態との組み合わせも可能である。
【００６０】
＜第８実施形態＞
第８実施形態では、溶岩パネルの、擁壁、金属金網擁面の修景への適用について詳細に説明する。これは、金網製擁壁の表面に、第１実施形態で前述したようなパネルを取り付けることで修景するものである。
【００６１】
図１０には、本発明の第８実施形態に係るパネルの構成を示し説明する。
【００６２】
このパネル２００では、セメント系硬化体等からなるパネル基板２０１上に、多孔質天然石としての溶岩２０２が配設されている。溶岩２０２の間に、多孔質天然石を微細に破砕した溶岩礫を更に配設してもよい。更にパネル基板２０１の、溶岩２０２等による被覆面とは反対側の背面には、樹脂層２０４が塗布されている。この樹脂層２０４は、例えばＦＲＰ等からなる。なお、ここでは、溶岩２０２として、平板状にスライスしたものを採用しているが、これには限定されない。パネル基板２０１には、樹脂層２０４まで貫通するようにボルトによる取り付け用の孔２０３が等間隔で数カ所設けられている。セメント系硬化体としては、セメント製フレキシブルボードを採用することができるが、これに代えてＦＲＰシート等を用いてもよい。
【００６３】
図１１には、パネル２００を金属防護堤の金網に取り付けるためのボルトとナットからなる金具の構成を示し説明する。同図に示されるように、金具２１０は、一端に所定長のネジ溝２１１ｂが刻まれ、他端がＵ字状に湾曲したボルト２１１と、当該ボルト２１１のネジ溝２１１ｂに螺合されるナット２１２とで構成されている。
【００６４】
このようなパネル２００を金属防護堤の金網に取り付ける様子は図１２に示される。この例では、３段の金属防護堤を例示しているが、各段の金網２２０に、パネル２００が数カ所の金具２１０により固定される。この金具２１０は、パネル２００の孔２０３において金網２２０とパネル２００とを固定する。より具体的には、ボルトのＵ字状に湾曲した端が金網側となるようにパネル２００の孔２０３から挿通し、Ｕ字状の先端を金網に係合する。そして、パネル２００の表面側よりボルト２１１にナット２１２を螺合して、固定する。尚、パネル２００の表面より出るボルト２１１は、コーキングして溶岩砂で金属が見えないように隠してもよい。
【００６５】
このようなパネルを用いた修景方法により、実際に修景された導流堤、防護柵の表面の様子は、図１３に示される。より詳細には、図１３（ａ）は修景前の様子を示しており、図１３（ｂ）は修景後の様子を示している。同図に示されるように、施工に際しては基板が見えないように溶岩の隙間をできるだけ開けないようにし、溶岩と溶岩の間が空いた場合には同系色のゲル剤を塗り保護してよい。尚、溶岩は多孔質なので、エポキシ接着剤の食い込み層が多く、溶岩ははがれにくい。
【００６６】
以上説明したように、本発明の第８実施形態によれば、擁壁の金網擁面へのパネルの施工方法であって、パネル２００は、パネル基板２０１と、パネル基板２０１の表面に固着される多孔質天然石としての溶岩２０２、パネル基板２０１の背面に積層される樹脂層２０４とからなり、パネル２００に所定間隔で孔２０３を設け、孔２０３からボルト２１１を挿通し、金網擁面側においてボルト２１１の先端を金網に係合し、パネル２００の表面側よりボルト２１１にナット２１２を螺合してナット２１２で締めることで、金網擁面に対して複数のパネル２００を設置するパネルの施工方法が提供される。
【００６７】
なお、パネル２００は、壁面ユニットとして亜鉛メッキに密着ポリエチレン被覆が施されたものを用いる場合には、その壁面に装着される。
【００６８】
従って、第８実施形態では、パネル自体が軽量で作業がしやすいので、山間に設置された擁壁等の修景を行う場合でも、作業負担が少ない。更に、前述したような多孔質天然石の特質より、植生、緑化等も促進することができる。
【００６９】
本発明の第１乃至第８の実施形態によれば、例えば、以下の効果も奏される。
【００７０】
（１）本発明の実施形態に係るパネルは、薄型の基盤をベースに、多孔質天然石を複合した土木環境リフォーム資材にも相当する。このパネルでは、施工した地域に存在する多種多様な微生物が付着成育し、生物共同体が形成されるため、生態系の保護や環境浄化を託すことができる地球温暖化対策製品であるともいえる。
【００７１】
（２）パネルは、その表面が多孔質天然石で覆われたコンクリート基盤パネル等としたことで、製品が薄型軽量となるため、人力での設置が可能となる上、足場が簡略化できるため、施工性の向上が図られる。
【００７２】
（３）パネルは、その表面を多孔質天然石で覆ったことにより、明度や色彩を抑えられるため、周辺環境との調和が図られる。
【００７３】
（４）パネルは、多孔質天然石を活用することで、透水性、通気性、保水性に優れるため、動植物の生息や生育に必要な環境を確保できる。
【００７４】
（５）パネルは、多孔質天然石を利用しているので、吸着作用に優れており、微生物の餌場、それを利用する生物の生息空間が形成され、徐々に生物を誘致できる。また、微生物の働きによって吸着物質が分解され、施工現場周辺の水質浄化作用が期待できる。
【００７５】
（６）以上に加えて、河川の護岸や道路擁壁、コンクリートジャングルと化した都市にあって、多孔質環境は分断された自然環境をつなぎ、生態系のバリアフリーを実現することができる。
【００７６】
（産業上の利用可能性）
第１乃至第３実施形態に係るパネルの用途としては、河川護岸、水路、側溝、道路のり面、擁壁、防護柵、遮音壁、防音壁、坑口、ダム壁面、貯水池面、堰堤、橋梁・橋桁、階段、縁石、ビル、公共施設の外壁、一般建築物、町並み整備などがある。
【００７７】
以上説明したように、本発明の実施形態に係るパネルで河川の護岸や水路、道路擁壁などを覆うことにより、周囲の自然環境に溶け込む土木構造物に生まれ変わる。天然の多孔質素材を複合させた凹凸のある壁面は適度に緑化されていくため、自然景観と調和していく。従来のコンクリート構造物のように歳月の経過とともに汚れやムラが目立ちはじめることもなく、壁面緑化はコケや根の浅い植物が主体になるため、過度に成長することもなく、メンテナンスの必要はない。水域では多孔質な環境が濾過材の役割を果たし、水質浄化にも貢献する。
【符号の説明】
【００７８】
１  パネル
２  パネル基板
３  溶岩礫
４  樹脂層
１１  パネル
１２  パネル基板
１３  溶岩片
１４  溶岩礫
１５  樹脂層
２１  パネル
２２  パネル基板
２３  溶岩片
２４  溶岩礫
２５  樹脂層
【図１】
2016135980.tif 000003
【図２】
2016135980.tif 000004
【図３】
2016135980.tif 000005
【図４】
2016135980.tif 000006
【図５】
2016135980.tif 000007
【図６】
2016135980.tif 000008
【図７】
2016135980.tif 000009
【図８】
2016135980.tif 000010
【図９】
2016135980.tif 000011
【図１０】
2016135980.tif 000012
【図１１】
2016135980.tif 000013
【図１２】
2016135980.tif 000014
【図１３】
2016135980.tif 000015